(57)【要約】    【課題】この発明は、紙幣を変形させることなくスタッカーガイドの一定位置に停止させるようにした紙幣処理装置を提供する。      【解決手段】スタッカーガイド３の一部に投入紙幣を折り曲げることなくその進行方向に対してブレーキ力を発生させる回転体７からなるブレーキ手段４を配設した。    【選択図】  図２
2005050254.tif 000002
【特許請求の範囲】
【請求項１】
投入紙幣の真偽を判別するとともに、真券と見做された投入紙幣をスタッカーガイドのスリット内に案内した後、同一のスタッカー内に収容するようにした紙幣処理装置において、
前記スタッカーガイドの一部に、前記投入紙幣を折り曲げることなく前記投入紙幣の進行方向に対してブレーキ力を発生させる回転体からなるブレーキ手段を配設したことを特徴とする紙幣処理装置。
【請求項２】
前記回転体は紙幣の進行方向に沿ってのみ回動自在な円柱形のローラであることを特徴とする請求項１に記載の紙幣処理装置。
【請求項３】
前記回転体はあらゆる方向へ回動自在な球体であることを特徴とする請求項１に記載の紙幣処理装置。
【請求項４】
前記ブレーキ手段は、前記回転体の周面に圧接するブレーキレバーと、該ブレーキレバーを軸を中心に一方向へ付勢する付勢部材からなることを特徴とする請求項１に記載の紙幣処理装置。
【請求項５】
前記付勢部材はコイルバネであることを特徴とする請求項４に記載の紙幣処理装置。
【発明の詳細な説明】
【技術分野】
【０００１】
この発明は、自動販売機、ゲーム機器等の機器に配設され、投入紙幣の真偽を判別するとともに、真券をスタッカー内に積載収容する紙幣処理装置に関し、特に長さの異なる紙幣を同一のスタッカー内に積載収容するようにした紙幣処理装置の改良に関する。
【背景技術】
【０００２】
近年では二千円札等の、既に発行されている紙幣とは長さの異なる紙幣が発行され、またこれと対応するように、紙幣処理装置では上述した長さの異なる複数種類の紙幣を取り扱うため、これら長さの異なる紙幣を同一のスタッカー内に収容するようにした紙幣処理装置が各種提案されている。
【０００３】
このような長さの異なる紙幣を同一のスタッカー内に収容する紙幣処理装置では、スタッカー内に収容した紙幣がスタッカーガイドのスリット側に膨らみ、これにより後に搬送される紙幣と衝突して紙ジャムを発生することを避けるため、スタッカーガイドのスリットに沿って搬送された紙幣の後端を垂れ下がり防止レバーと係合する一定位置に停止させることが必要である。
【０００４】
ところて、紙幣をスタッカーガイド内に送り込んだ後に、紙幣の後端をスタッカーガイド内の一定位置に停止させようとしても、長さの異なる紙幣では、その後端の停止位置がばらつく場合がある。
【０００５】
例えば、取り扱う紙幣のうち、長さが最も長い紙幣の後端はスタッカーガイドの長さと、垂れ下がり防止レバーの配設位置との関係上、垂れ下がり防止レバーと係合する位置に比較的確実に停止させることは出来るが、それよりも長さの短い紙幣の場合は、その紙幣の後端がスタッカーガイド内の一定位置に停止せず、垂れ下がり防止レバーの下端を通過してしまう場合があり、その場合は垂れ下がり防止レバーと係合しない位置に停止するので、前述した紙ジャムを発生させてしまう虞がある。
【０００６】
そこで、従来では、特開２００２−１６３７０２号、特開２００２−２１６２０９号、特開２００３−９１７６３号に開示されているように、スタッカーガイドの下流に位置する当該スタッカーガイド、あるいはスタッカーガイドから紙幣をスタッカー内に移動させるプレッシャープレートの一部に投入紙幣の幅方向端部を折り曲げ、これにより搬送紙幣に対する摩擦力を増大させる段部からなるブレーキ手段を配設し、このブレーキ手段によりスタッカーガイド内に搬送された紙幣の進行に対してブレーキ力を働かせ、長さの短い紙幣も確実に垂れ下がり防止レバーと係合する一定位置に停止させるようにしている。
【発明の開示】
【発明が解決しようとする課題】
【０００７】
ところで、上述した従来の紙幣処理装置に配設されたブレーキ手段は、スタッカーガイド、あるいはプレッシャープレートの一部に形成された段部によりスタッカーガイド内に投入された紙幣の両端部を強制的に折り曲げるようにしているから、折り曲げの際に紙幣に損傷、変形等が発生しやすく、このためスタッカーガイド内で紙幣の詰り、即ち紙ジャムが発生し易い虞がある。
【０００８】
この発明は上述した事情に鑑み、紙幣を変形させることなくスタッカーガイドの一定位置に一層確実に停止させることができる紙幣処理装置を提供することを目的とする。
【課題を解決するための手段】
【０００９】
上述した課題を解決するため、この発明では、投入紙幣の真偽を判別するとともに、真券と見做された投入紙幣をスタッカーガイドのスリット内に案内した後、同一のスタッカー内に収容するようにした紙幣処理装置において、前記スタッカーガイドの一部に前記投入紙幣を折り曲げることなくその進行方向に対してブレーキ力を発生させる回転体からなるブレーキ手段を配設するようにしている。
【発明の効果】
【００１０】
上述したこの発明の紙幣処理装置では、スタッカーガイドの一部に投入紙幣を折り曲げることなくその進行方向に対してブレーキ力を発生させる回転体からなるブレーキ手段を配設するようにしたから、スタッカーガイド内であらゆる長さの紙幣の後端を一定位置に停止させることが出来るとともに、紙幣を折り曲げることが無いから、紙幣の損傷、紙ジャム等が発生せず、このため複数種類の紙幣を同一のスタッカー内に安定して収容することのできる紙幣処理装置を提供することができる。
【発明を実施するための最良の形態】
【００１１】
以下、この発明に係わる紙幣処理装置の一実施例を詳述する。
【００１２】
図１はこの発明に係わる紙幣処理装置１示す概念断面図である。
【００１３】
この紙幣処理装置１では、特に長さの短い紙幣の後端が、紙幣垂れ下がり防止レバー２の先端２ａを越えぬ位置に停止するよう、投入紙幣を下方へ案内するスタッカーガイド３の上流に搬送紙幣の進行方向に対してブレーキ力を作用させるブレーキ手段４が配設されている。なお、上述したスタッカーガイド３は周知のように投入紙幣の幅方向の両端部をそれぞれガイドすべく搬送紙幣の幅方向に沿って一定の間隔を設けて一対配設され、さらに、このスタッカーガイド３は紙幣を一枚ずつガイドする所定間隔のスリット５を設けるべく一対のガイド部材３ａ，３ｂから構成されている。
【００１４】
上述したブレーキ手段４は、スタッカーガイド３の要部拡大断面図で示す図２のように、一方のガイド部材３ａに形成された断面矩形状の孔６内に配設された回転体７から構成されている。
【００１５】
この回転体７は、紙幣の進行方向（矢印Ｂ）に沿って回転する円柱形のローラ８から構成され、このローラ８は付勢手段９によって他方のガイド３ｂに突設された凸部１０に圧接している。なお、上述したローラ８は鋼、あるいはプラスチック等の合成樹脂で形成されている。
【００１６】
一方、上述した付勢手段９は、ローラ８の周面に圧接するブレーキレバー１１と、このレバー１１を回動自在に支承する軸１２と、この軸１２を中心に前記ブレーキレバー１１の圧接面１１ａを前記ローラ８の周面８ａに圧接させる付勢部材であるコイルスプリング１３とから構成されている。
【００１７】
したがって、上述したブレーキ手段４のローラ周面８ａには、ブレーキレバー１１による摩擦力が常に作用することとなる。
【００１８】
次に、上述した紙幣処理装置１の作用を説明し、併せて構成をより詳細に説明する。
【００１９】
図３で示すように紙幣投入口２０から投入された紙幣Ａが紙幣搬送ベルト２１およびこれを駆動する図示せぬモータ等からなる紙幣搬送手段２２により略逆Ｕ
形の紙幣搬送路２３に沿ってその下流へ搬送されると、その途中に配設された紙幣識別手段２４によりその真偽が判別される。
【００２０】
なお、この紙幣識別手段２４は周知のように磁気、あるいは光センサー等により構成されている。
【００２１】
そして、この紙幣識別手段２４により、投入紙幣が偽券と判別されると、前記紙幣搬送手段２２が逆転し、投入紙幣Ａを紙幣投入口２０から返却する。
【００２２】
一方、上述した紙幣識別手段２４により、投入紙幣Ａが真券と判断されると、紙幣搬送手段２４は一時停止し、図示のように投入紙幣Ａは紙幣搬送路２３の下流に一時停止する、いわゆるエスクロ状態となる。なお、このエスクロ状態において、紙幣Ａの先端側Ａ１は既に紙幣搬送手段２４の紙幣搬送力によりブレーキ手段４の凸部１０とローラの周面８ａとの間に挿入され、当該凸部１０とローラ周面８ａとの間に把持されている。
【００２３】
そして、商品購入情報が入力されると、紙幣搬送手段２４は再び正転駆動され、エスクロ状態の投入紙幣Ａをスタッカーガイド３のスリット５に沿って、その下流へ搬送する。
【００２４】
このように、再び正転駆動される紙幣搬送手段２４により、紙幣Ａがスタッカーガイド３のスリット５下流へ向けて再び搬送されると、その紙幣Ａの幅方向両端部は、ブレーキ手段４のローラ周面８ａと凸部１０との間に既に把持されているから、図２に示すブレーキ手段４のブレーキレバー１１によりローラ８の回転方向（ここでは紙幣Ａの搬送方向であるスリット５下流方向）に対して負荷が発生し、これにより当該紙幣Ａの搬送に対して一定のブレーキ力が作用するので、その移動距離は著しく低減する。
【００２５】
このように、エスクロされた紙幣Ａには再び正転駆動される紙幣搬送手段２４による紙幣搬送力が作用するとともに、その搬送にはブレーキ力も作用するので、予め紙幣のエスクロ後に再び正転駆動される紙幣搬送手段２４の紙幣搬送力とブレーキ手段４を構成するローラ８のブレーキ力（たとえばコイルバネ１３のバネ定数）とを調整することにより、スタッカーガイド３のスリット５下流へさらに搬送される紙幣Ａの後端Ａ２を図４で示すように紙幣垂れ下がり防止レバー２の先端２ａを越えぬ位置に停止させ、これにより長さの異なる紙幣の後端をいずれも防止レバー２の先端２ａを越えぬ位置に停止させることが出来ることとなる。
【００２６】
このように、紙幣Ａの後端Ａ２が紙幣垂れ下がり防止レバー２の先端２ａを越えない位置に停止した後、リンク機構からなる周知のリフトテーブル３０が矢印Ｆの如く図面の左右へ一往復すると、図５で示すように、スタッカーガイド３のスリット５内に収容された紙幣Ａがスタッカー３１内へ移動する。
【００２７】
このスタッカー３１内に移動した紙幣Ａは、コイルバネ３２からなる押圧手段により常時図面の左側方向へ付勢されたプレッシャープレート３３によりスタッカーガイド３側に付勢される。
【００２８】
その際、紙幣Ａの後端Ａ２は、紙幣垂れ下がり防止レバー２の先端２ａと係合する位置にあるので、仮に紙幣Ａの後端Ａ２がスタッカー３１内に収容された他の収容紙幣の膨らみ等の要因により膨らんでスタッカーガイド３のスリット５側へ移動しても、その移動は係合する紙幣垂れ下がり防止レバー２により阻止されてスリット５内には到達せず、このため、次にスタッカーガイド３のスリット５内に案内される紙幣とスタッカー３１内に収容された紙幣Ａの後端Ａ２とは干渉することはなく、このため次に収容される紙幣はスムーズにスタッカー３１内に移動して、そこに積載収容されることとなる。
【００２９】
なお、上記実施例では、図２に示すようにブレーキ手段４の回転体７を、紙幣の進行方向（矢印Ｂ）のみに沿って回転する円柱形のローラ８から構成するようにしたが、この発明は上記実施例に限定されることなく、図２と同一部分を同一符号で示す図６のように、回転体７を断面矩形状の孔６内であらゆる方向へ回動自在な球体４０で構成しても良い。なお、この球体４０は鋼球、あるいはプラスチック等の合成樹脂で形成することが出来る。
【００３０】
なお、上記実施例では、長さの異なる複数種類の紙幣の各後端を一定位置に位置決め停止させる場合について説明したが、例えば同一種類の紙幣でも、使用している間に縮んだり、延びたりして、その長さが異なる場合もあり、このような場合でも、上述した本願発明に係る紙幣処理装置１では、長さの異なった同一種類の紙幣の各後端もスタッカーガイドの一定位置に位置決め停止させることが出来ることはいうまでもない。
【産業上の利用可能性】
【００３１】
以上説明したように、この発明は紙幣詰まりを起こさせることなく、しかも各種紙幣の後端を可及的に一定位置に位置決め停止させることができる紙幣処理装置に適している。
【図面の簡単な説明】
【００３２】
【図１】図１はこの発明に係る紙幣処理装置の概念断面図。
【図２】図２はブレーキ手段を示す要部拡大断面図。
【図３】図３はこの発明に係る紙幣処理装置の作用を示す断面図。
【図４】図４はこの発明に係る紙幣処理装置の作用を示す断面図。
【図５】図５はこの発明に係る紙幣処理装置の作用を示す断面図。
【図６】図６はブレーキ手段の他の実施例を示す要部断面図。
【符号の説明】
【００３３】
１…紙幣処理装置
３…スタッカーガイド
４…ブレーキ手段
５…スリット
７…回転体
８…ローラ
１１…ブレーキレバー
１２…軸
１３…付勢部材（コイルバネ）
３１…スタッカー
４０…球体
Ａ…紙幣
【図１】
2005050254.tif 000003
【図２】
2005050254.tif 000004
【図３】
2005050254.tif 000005
【図４】
2005050254.tif 000006
【図５】
2005050254.tif 000007
【図６】
2005050254.tif 000008